(57)【要約】【課題】簡易且つ適切に外耳道内の耳垢を取り除くことができる耳垢吸引アタッチメントを提供する。【解決手段】耳垢吸引器の吸引チューブの先端部に着脱自在に取り付けられ、外耳道に挿入されてその外耳道内の異物を吸引するための可撓性の耳垢吸引アタッチメント900であって、長さ方向に貫通した中空部を有する筒体100と、筒体100の先端部に設けられ、先端に近づくほど外径が大きくなるラッパ形状のスカート部200と、を有する。【選択図】図１
2019071945.tif 000002
【特許請求の範囲】
【請求項１】
耳垢吸引器の吸引チューブの先端部に着脱自在に取り付けられ、外耳道に挿入されてその外耳道内の異物を吸引するための可撓性の耳垢吸引アタッチメントであって、
長さ方向に貫通した中空部を有する筒体と、前記筒体の先端部に設けられ、先端に近づくほど外径が大きくなるラッパ形状のスカート部と、を有することを特徴とする可撓性の耳垢吸引アタッチメント。
【請求項２】
前記筒体及び前記スカート部はともに天然ゴムにより一体的に構成され、タイプＡデュロメータ硬さが55以上65以下であることを特徴とする請求項１に記載の耳垢吸引アタッチメント。
【請求項３】
前記筒体は、外径が2.5ｍｍ〜6.5ｍｍで内径が2.3ｍｍ〜6.3ｍの断面形状が円であることを特徴とする請求項１又は２に記載の耳垢吸引アタッチメント。
【請求項４】
前記ラッパ形状のスカート部には、先端側から基端側に向けて形成された切れ込みであるスリットが複数設けられていることを特徴とする請求項１乃至３の何れか１項に記載の耳垢吸引アタッチメント。
【発明の詳細な説明】
【技術分野】
【０００１】
本発明は、外耳道内にたまった耳垢を吸引するための耳垢吸引器の吸引チューブの先端部に取り付けられる耳垢吸引アタッチメントに関する。
【背景技術】
【０００２】
耳垢は、外耳道にある耳垢腺と皮脂腺から出る分泌物に、剥がれ落ちた角化表皮細胞や毛髪、粉塵等が混ざってできたものである。耳垢栓塞は、耳垢が大量に溜まって固まりとなり、耳の穴を狭くする若しくは詰まらせる疾患である。耳垢栓塞の症状は、耳の閉塞感、難聴、耳鳴り、自声強聴等の耳の症状のほか、まれに喉の違和感、胃の不快感・吐き気等の耳以外の症状がある。
【０００３】
耳垢吸引器具には、電動モーターを備えつけ耳垢を吸引する形式のものがあり、円筒型のノズルを外耳道内に挿入して耳垢を吸引する装置が提案されている（特許文献１）。しかしながら外耳道内に差し込むノズル先端部が単に円形管であるため耳垢を取り除くのに一定の技術を要し、適切に耳垢を取り除くことが困難であるという問題があった。
【０００４】
外耳道内に挿入される耳垢吸引器具のノズル先端部の形状として先端が湾曲した耳かき棒型が提案されている（特許文献２）。しかしながら、ノズル先端部が敏感な外耳道内を刺激することによりくしゃみ等がでることがあり、更にはノズル先端部により外耳道内が損傷する可能性が高かった。
【先行技術文献】
【特許文献】
【０００５】
【特許文献１】特開２００３−３１９８８８号公報
【特許文献２】特開平１１−１９７０５２号公報
【発明の概要】
【発明が解決しようとする課題】
【０００６】
本発明はかかる問題点に鑑みてなされたものであって、耳垢吸引器の吸引チューブの先端部に着脱自在に取り付けられ、簡易且つ適切に外耳道内の耳垢を取り除くことができる耳垢吸引アタッチメントを提供することを目的とする。
【課題を解決するための手段】
【０００７】
本発明にかかる耳垢吸引アタッチメントは、耳垢吸引器の吸引チューブの先端部に着脱自在に取り付けられ、外耳道に挿入されてその外耳道内の異物を吸引するための可撓性の耳垢吸引アタッチメントであって、長さ方向に貫通した中空部を有する筒体と、前記筒体の先端部に設けられ、先端に近づくほど外径が大きくなるラッパ形状のスカート部と、を有することを特徴とする。
【発明の効果】
【０００８】
本発明によれば、外耳道内を損傷することなく、簡易且つ適切に外耳道内の耳垢を取り除くことができる。
【図面の簡単な説明】
【０００９】
【図１】本実施形態にかかる耳垢吸引アタッチメントの概略図である。
【図２】別の実施形態にかかる耳垢吸引アタッチメントの概略図である。
【図３】本実施例にかかる耳垢吸引アタッチメントの写真図である。
【図４】モデル乾性耳垢をプラスチック製注射器内に詰めた状態を示す写真図である。
【図５】モデル乾性耳垢の吸引している状態を示す写真図である。
【図６】吸引除去前における耳垢栓塞患者の外耳道内を占有している耳垢の写真図である。
【図７】耳垢栓塞患者から吸引除去できた耳垢の写真図である。
【発明を実施するための形態】
【００１０】
以下、添付の図面を参照して本発明の実施形態について具体的に説明するが、当該実施形態は本発明の原理の理解を容易にするためのものであり、本発明の範囲は、下記の実施形態に限られるものではなく、当業者が以下の実施形態の構成を適宜置換した他の実施形態も、本発明の範囲に含まれる。
【００１１】
図１に本実施形態にかかる耳垢吸引アタッチメント900を示す。耳垢吸引アタッチメント900は、長さ方向に貫通した中空部を有する筒体100と、筒体100の先端部に設けられ、先端に近づくほど外径が大きくなるラッパ形状のスカート部200と、を有する。
【００１２】
筒体100の形状は外耳道内に挿入可能なものであれば特に限定されるものではなく、例えば、筒体100の肉厚を0.2ｍｍとして、外径が2.5ｍｍ〜6.5ｍｍで内径が2.3ｍｍ〜6.3ｍの断面形状が円である。なお、ヒトの外耳道の断面形状はやや楕円であり、縦長径が約9.0ｍｍ、横短径が約7.0ｍｍ位であるため、筒体100の断面形状を楕円とすることも可能である。
【００１３】
耳垢吸引アタッチメント900は、可撓性であれば材質は特に限定されるものではないが、例えば、天然ゴム、ポリクロロプレン、ポリブタジエン、ブタジエンスチレンゴム、ブタジエンアクリロニトリルゴム、ポリイソプレン、クロルスルホン化ポリエチレン、ポリイソブチレン、イソブチレンイソプレンゴム、アクリルゴム、ウレタンゴム、フッ素ゴム、及びシリコーンゴム等を用いることができ、好ましくは天然ゴムである。
【００１４】
筒体100及びスカート部200はともに一体的に構成されており、そのゴム硬度は例えばJIS K 6253(2006)のタイプＡデュロメータ硬さが55以上65以下である。
【００１５】
耳垢には、乾性耳垢と湿性耳垢とがあるがともに耳垢吸引アタッチメント900による吸引が可能である。なお乾性耳垢は、カサカサと乾燥した灰白色で鱗状の耳垢であり、日本人の約7割が乾性耳垢の持ち主である。湿性耳垢は、褐色でアメ状の湿った耳垢であり、西欧人では約9割が湿性耳垢の持ち主である。
【００１６】
耳垢吸引アタッチメント900を使用態様は下記である。即ち、筒体100の先端部と長さ方向において反対側に位置する基端部が、耳垢吸引器の吸引チューブの先端部に挿入差込等により取り付けられる。そしてスカート部200を先頭にして耳垢吸引アタッチメント900が外耳道に挿入される。スカート部200は先端に近づくほど外径が大きくなるラッパ形状であるため、外耳道内への挿入時に、底面側の周縁部にて外耳道内の壁面に付着した耳垢を削ぎ落とすことが可能である。そして外耳道内に存在する耳垢はラッパ形状のスカート部200内に取り込まれるが、比較的大きな耳垢であっても吸引によりスカート部200内に取り込まれ安定的に固定されるため、耳垢吸引アタッチメント900を外耳道から引き出す際にスカート部200内に取り込まれた耳垢はこぼれることなく安定的に耳垢を吸引除去可能である。
【００１７】
図２に別実施形態にかかる耳垢吸引アタッチメント900を示す。図２に示されるようにラッパ形状のスカート部200には、先端側から基端側に向けて形成された切れ込みであるスリット210が複数設けられている。図２ではスリット210は周方向90度ごとの一定間隔で４つ設けられている。
【００１８】
この耳垢吸引アタッチメント900を使用態様は下記である。即ち、スカート部200には複数のスリット210が設けられているため、外耳道内への挿入時に、複数のスリット210で分割されたスカート部200の各ヒダ部分が外耳道内の壁面に付着した耳垢を削ぎ落とす。外耳道はＳ字状に曲がった形をしているが、ヒトによってはＳ字状の湾曲の程度が大きい場合があり、複数のスリット210で分割されたスカート部200の各ヒダ部分が湾曲したＳ字状の外耳道内部に柔軟に当接して外耳道内の壁面に付着した耳垢を削ぎ落とすため、特に有効である。
【実施例】
【００１９】
（実施例１）
図３に示すように本実施例にかかる耳垢吸引アタッチメントを作成した。材質は天然ゴムであり、JIS K 6253(2006)のタイプＡデュロメータ硬さは60であった。筒体の長さは50.0ｍｍでありスカート部の高さは6.0ｍｍであり、母線の長さは7.0ｍｍであった。筒体は外径が5.0ｍｍで内径4.8ｍｍの断面形状が円であった。
【００２０】
図４に示すように、管径1.0ｃｍ長さ5.0ｃｍの10ccプラスチック製注射器内に、モデル乾性耳垢として、水分含有量10重量%の団子状の粉砕和菓子を詰めた。
【００２１】
次に、作製した耳垢吸引アタッチメントを医療用の耳垢吸引器の吸引チューブの先端部に挿入差込して取り付け、スカート部を先頭にして耳垢吸引アタッチメントをプラスチック製注射器内に挿入してモデル乾性耳垢の吸引を試みた。図５に示すように、プラスチック製注射器内への挿入時に注射器内の壁面に付着したモデル乾性耳垢は削ぎ落とされ、吸引によりスカート部内にモデル乾性耳垢は取り込まれ安定的に吸引固定された。
【００２２】
（実施例２）
実施例１で作製した耳垢吸引アタッチメントを使用して、複数の耳垢栓塞患者の耳垢の吸引除去を試みた。図６に示すように、吸引除去前における耳垢栓塞患者の外耳道内は耳垢により栓塞されていた。
【００２３】
作製した耳垢吸引アタッチメントを医療用の耳垢吸引器の吸引チューブの先端部に挿入差込して取り付け、スカート部を先頭にして耳垢吸引アタッチメントを外耳道内に挿入して吸引したところ、図７に示すように、大量の耳垢が短時間で適切に除去できた。
【産業上の利用可能性】
【００２４】
耳垢吸引除去に利用できる。
【符号の説明】
【００２５】
100：筒体
200：スカート部
210：スリット
900：耳垢吸引アタッチメント
【図１】
2019071945.tif 000003
【図２】
2019071945.tif 000004
【図３】
2019071945.tif 000005
【図４】
2019071945.tif 000006
【図５】
2019071945.tif 000007
【図６】
2019071945.tif 000008
【図７】
2019071945.tif 000009